(57)【要約】【課題】互いに並列に接続された複数の発光素子からの出射光を出力させる発光素子アレイ、および光伝送装置において、最短の経路長を有する発光素子が損傷した場合であっても、発光素子アレイにおける光出力の波長スペクトルの変動を抑制すること。【解決手段】電流を供給する端子２８に接続された配線２２により互いに並列に接続されるとともに、各々が端子２８から配線２２上を流れる電流の経路に沿う予め定められた経路長の位置に配置され、かつ光の出射口が遮蔽されていない第１の発光素子５０−１、５０−２、５０−４と遮蔽されている第２の発光素子５０−３とが混在した複数の発光素子を備えた発光素子アレイにおいて、第１の発光素子５０−１、５０−２、５０−４の少なくとも１つを最長の経路長の位置に配置し、第２の発光素子の少なくとも１つを最短の経路長の位置に配置した。【選択図】図１
2018082062.tif 000002
【特許請求の範囲】
【請求項１】
電流を供給する端子に接続された配線により互いに並列に接続されるとともに、各々が前記端子から前記配線上を流れる前記電流の経路に沿う予め定められた経路長の位置に配置され、かつ光の出射口が遮蔽されていない第１の発光素子と遮蔽されている第２の発光素子とが混在した複数の発光素子を備え、
前記第１の発光素子の少なくとも１つが最長の前記経路長の位置に配置され、
前記第２の発光素子の少なくとも１つが最短の前記経路長の位置に配置された
発光素子アレイ。
【請求項２】
前記複数の発光素子は３つ以上であり、前記第１の発光素子が複数配置された
請求項１に記載の発光素子アレイ。
【請求項３】
前記複数の発光素子は３つ以上であり、最長の前記経路長の位置以外の位置には前記第２の発光素子が配置された
請求項１に記載の発光素子アレイ。
【請求項４】
最短の前記経路長の位置に複数の前記第２の発光素子が配置された
請求項１に記載の発光素子アレイ。
【請求項５】
最長の前記経路長の位置に複数の前記第１の発光素子が配置された
請求項１に記載の発光素子アレイ。
【請求項６】
前記配線上において前記第２の発光素子が前記第１の発光素子よりも前記端子に近い位置にずらして配置された
請求項１に記載の発光素子アレイ。
【請求項７】
出射される光が光を伝送する光伝送路に入射するように配置された請求項１〜請求項６のいずれか１項に記載の発光素子アレイ
を備える光伝送装置。
【請求項８】
前記光伝送路が光を伝播するコアを含み、
前記第１の発光素子の方が前記第２の発光素子よりも、前記コアの中心に近い位置に配置された
請求項７に記載の光伝送装置。
【請求項９】
電流を供給する端子に接続された配線により互いに並列に接続されるとともに、前記端子から前記配線上を流れる前記電流の経路に沿う予め定められた経路長の最長の経路長の位置に配置された第１の発光素子と、最短の経路長の位置に配置された第２の発光素子と、を含む複数の発光素子を有する発光素子アレイを備え、
前記第１の発光素子は、前記第１の発光素子から出射された光が光を伝送する光伝送路に入射されるように配置されるとともに、前記第２の発光素子は、前記第２の発光素子から出射される光の光軸が前記光伝送路の光軸とずれるように配置された
光伝送装置。
【請求項１０】
前記光伝送路は、コア径が１００μｍ以下のマルチモードファイバである請求項７〜請求項９のいずれか１項に記載の光伝送装置。
【発明の詳細な説明】
【技術分野】
【０００１】
本発明は、発光素子アレイ、および光伝送装置に関する。
【背景技術】
【０００２】
特許文献１には、選択酸化型のメサを含む面発光型半導体レーザであって、基板と、基板上に形成され、レーザ光を出射する少なくとも１つのメサを含む第１のメサと、基板上に形成され、レーザ光の出射を抑制する少なくとも１つのメサを含む第２のメサとを有する、面発光型半導体レーザが開示されている。
【先行技術文献】
【特許文献】
【０００３】
【特許文献１】特開２００５−２５２２４０号公報
【発明の概要】
【発明が解決しようとする課題】
【０００４】
電流を供給する端子に接続された配線により互いに並列に接続された複数の発光素子を備えた発光素子アレイにおいては、端子から各々の発光素子までの配線上の経路長のうちの最短の経路長を有する発光素子が外部からサージによって最も損傷しやすく、最短の経路長を有する発光素子が損傷した場合、発光素子アレイの光出力の波長スペクトルが変動してしまう場合があった。
本発明は、互いに並列に接続された複数の発光素子からの出射光を出力させる発光素子アレイ、および光伝送装置において、最短の経路長を有する発光素子が損傷した場合であっても、発光素子アレイにおける光出力の波長スペクトルの変動を抑制することを目的とする。
【課題を解決するための手段】
【０００５】
上記の目的を達成するために、請求項１に記載の発光素子アレイは、電流を供給する端子に接続された配線により互いに並列に接続されるとともに、各々が前記端子から前記配線上を流れる前記電流の経路に沿う予め定められた経路長の位置に配置され、かつ光の出射口が遮蔽されていない第１の発光素子と遮蔽されている第２の発光素子とが混在した複数の発光素子を備え、前記第１の発光素子の少なくとも１つが最長の前記経路長の位置に配置され、前記第２の発光素子の少なくとも１つが最短の前記経路長の位置に配置されたものである。
【０００６】
また、請求項２に記載の発明は、請求項１に記載の発明において、前記複数の発光素子は３つ以上であり、前記第１の発光素子が複数配置されたものである。
【０００７】
また、請求項３に記載の発明は、請求項１に記載の発明において、前記複数の発光素子は３つ以上であり、最長の前記経路長の位置以外の位置には前記第２の発光素子が配置されたものである。
【０００８】
また、請求項４に記載の発明は、請求項１に記載の発明において、最短の前記経路長の位置に複数の前記第２の発光素子が配置されたものである。
【０００９】
また、請求項５に記載の発明は、請求項１に記載の発明において、最長の前記経路長の位置に複数の前記第１の発光素子が配置されたものである。
【００１０】
また、請求項６に記載の発明は、請求項１に記載の発明において、前記配線上において前記第２の発光素子が前記第１の発光素子よりも前記端子に近い位置にずらして配置されたものである。
【００１１】
上記の目的を達成するために、請求項７に記載の光伝送装置は、出射される光が光を伝送する光伝送路に入射するように配置された請求項１〜請求項６のいずれか１項に記載の発光素子アレイを備えるものである。
【００１２】
また、請求項８に記載の発明は、請求項７に記載の発明において、前記光伝送路が光を伝播するコアを含み、前記第１の発光素子の方が前記第２の発光素子よりも、前記コアの中心に近い位置に配置されたものである。
【００１３】
上記の目的を達成するために、請求項９に記載の光伝送装置は、電流を供給する端子に接続された配線により互いに並列に接続されるとともに、前記端子から前記配線上を流れる前記電流の経路に沿う予め定められた経路長の最長の経路長の位置に配置された第１の発光素子と、最短の経路長の位置に配置された第２の発光素子と、を含む複数の発光素子を有する発光素子アレイを備え、前記第１の発光素子は、前記第１の発光素子から出射された光が光を伝送する光伝送路に入射されるように配置されるとともに、前記第２の発光素子は、前記第２の発光素子から出射される光の光軸が前記光伝送路の光軸とずれるように配置されたものである。
【００１４】
また、請求項１０に記載の発明は、請求項７〜請求項９のいずれか１項に記載の発明において、前記光伝送路は、コア径が１００μｍ以下のマルチモードファイバであるものである。
【発明の効果】
【００１５】
請求項１、請求項７、および請求項９に記載の発明によれば、互いに並列に接続された複数の発光素子からの出射光を出力させる発光素子アレイ、および光伝送装置において、最短の経路長を有する発光素子が損傷した場合であっても、発光素子アレイにおける光出力の波長スペクトルの変動が抑制される、という効果を奏する。
【００１６】
請求項２に記載の発明によれば、第１の発光素子が１つのみの場合と比較して、第１の発光素子の経時的な寿命が向上する、という効果を奏する。
【００１７】
請求項３に記載の発明によれば、最長の経路長の位置以外の位置に第１の発光素子と第２の発光素子とを混在させて配置する場合と比較して、波長スペクトルの変動がより抑制される、という効果を奏する。
【００１８】
請求項４に記載の発明によれば、最短の経路長の発光素子を全て遮蔽しない場合と比較し、波長スペクトルの変動がより抑制される、という効果を奏する。
【００１９】
請求項５に記載の発明によれば、最長の経路長の位置に１つの第１の発光素子を配置させる場合と比較して、波長スペクトルの変動が抑制されつつ経時的な寿命が向上する、という効果を奏する。
【００２０】
請求項６に係る発明によれば、配線上において第２の発光素子を第１の発光素子よりも端子に近い位置にずらして配置させない場合と比較して、第２の発光素子の第１の発光素子に対する熱の影響（熱干渉）が低減される、という効果を奏する。
【００２１】
請求項８に係る発明によれば、第１の発光素子の位置と第２の発光素子の位置の、コアの中心に対する相対的な位置を考慮しないで配置する場合と比較して、第２の発光素子の第１の発光素子に対する熱の影響（熱干渉）が低減される、という効果を奏する。
【００２２】
請求項１０に係る発明によれば、コア径が１００μｍ以下のマルチモードファイバを用いた光伝送装置において、外部からサージが印加された場合に、波長スペクトルの変動が抑制される、という効果を奏する。
【図面の簡単な説明】
【００２３】
【図１】（ａ）は第１の実施の形態に係る発光素子アレイの構成の一例を示す断面図、（ｂ）は平面図である。
【図２】第１の実施の形態に係る発光領域における発光部のパッドからの経路長を説明する図である。
【図３】（ａ）〜（ｄ）は、比較例に係る発光素子アレイのＥＳＤ耐圧調査の結果を示す発光部の写真、（ｅ）は比較例に係る発光素子アレイの各発光部の配置を示す平面図である。
【図４】（ａ）は、比較例に係る発光素子アレイのＥＳＤ耐圧調査の結果のうち、光出力特性を示すグラフ、（ｂ）〜（ｅ）はスペクトル特性を示すグラフである。
【図５】（ａ）〜（ｆ）は、第１の実施の形態に係る発光素子アレイの製造方法の一例を示す断面図である。
【図６】（ａ）〜（ｆ）は、第１の実施の形態の変形例に係る発光領域の発光部の配置の一例を示す平面図である。
【図７】（ａ）は第２の実施の形態に係る光伝送装置の構成の一例を示す平面図、（ｂ）は断面図である。
【図８】（ａ）は、第２の実施の形態に係る光伝送装置における発光素子アレイと光ファイバとの結合状態を示す側面図、（ｂ）は平面図である。
【発明を実施するための形態】
【００２４】
以下、図面を参照して、本発明を実施するための形態について詳細に説明する。
【００２５】
［第１の実施の形態］
図１を参照して、本実施の形態に係る発光素子アレイ１０の構成の一例について説明する。本実施の形態では、本発明に係る発光素子アレイに面発光型半導体レーザ（ＶＣＳＥＬ：Ｖｅｒｔｉｃａｌ  Ｃａｖｉｔｙ  Ｓｕｒｆａｃｅ  Ｅｍｉｔｔｉｎｇ  Ｌａｓｅｒ）アレイを適用した形態を例示して説明する。図１（ａ）は本実施の形態に係る発光素子アレイ１０の断面図であり、図１（ｂ）は発光素子アレイ１０の平面図である。図１（ａ）に示す断面図は、図１（ｂ）に示す平面図においてＡ−Ａ’で切断した断面図である。発光素子アレイ１０は一例として光伝送装置の光送信部に用いられ、発光素子アレイ１０からの出射光は光ファイバ等の光伝送路に結合される。本実施の形態においては、複数のＶＣＳＥＬは光送信部からの出射光の冗長性確保のために用いられている。すなわち、本実施の形態における発光素子アレイを構成する各々の発光素子は、単一の発光素子として通信を行うのに必要な光量を出力できる定格を有し、１つの発光素子が損傷した場合であっても正常な通信が維持できるよう、互いに並列に接続された複数の発光素子によって発光素子アレイを構成することで冗長性を確保している。ただし、必ずしも単一の発光素子として通信を行うのに必要な光量を出力できる構造である必要はない。
【００２６】
図１（ａ）に示すように、発光素子アレイ１０は、ｎ側電極配線３０、ｎ型のＧａＡｓ（ガリウムヒ素）の基板１２上に形成されたｎ型の下部ＤＢＲ（Ｄｉｓｔｒｉｂｕｔｅｄ  Ｂｒａｇｇ  Ｒｅｆｌｅｃｔｏｒ）１４、活性層領域１６、酸化狭窄層２６、ｐ型の上部ＤＢＲ１８、層間絶縁膜２０、およびｐ側電極配線２２を含む積層構造体として構成されている。
【００２７】
図１（ｂ）に示すように、発光素子アレイ１０は、発光領域４０、およびｐ側電極パッド２８を備えている。
【００２８】
発光領域４０は、複数の発光部を含んでＶＣＳＥＬアレイとして構成された領域である。本実施の形態では、一例として、メサ状に形成された４つの発光部５０−１、５０−２、５０−３、５０−４（以下、総称する場合は「発光部５０」）を含み、各発光部の出射口を除く領域がｐ側電極配線２２によって覆われることで各発光部が互いに電気的に並列に接続されている。ただし、本実施の形態に係る発光素子アレイ１０では、複数の発光部５０のうちの少なくとも１つについて光の出射口がｐ側電極配線２２によって遮蔽され、光が出射されないようにされている。発光素子アレイ１０では、発光部５０−３の出射口が遮蔽されている一方、発光部５０−１、５０−２、５０−４の出射口は遮蔽されていない。換言すれば、発光素子アレイ１０では、電源が供給されると発光部５０−３を除く発光部５０−１、５０−２、５０−４からほぼ同時に光が出射される。なお、以下では光の出射口が遮蔽されたメサも便宜的に「発光部５０」と称する。
【００２９】
ｐ側電極パッド２８は、ｐ側電極配線２２の一部として構成され、ｐ側電極配線２２を介して発光領域４０に電流を供給する電源を接続する際に、該電源の正極を接続するパッドである。なお、該電源の負極は基板１２の裏面に形成されたｎ側電極配線３０に接続される。
【００３０】
基板１２上に形成されたｎ型の下部ＤＢＲ１４は、発光素子アレイ１０の発振波長をλ、媒質（半導体層）の屈折率をｎとした場合に、膜厚がそれぞれ０．２５λ／ｎとされかつ屈折率の互いに異なる２つの半導体層を交互に繰り返し積層して構成される多層膜反射鏡である。
【００３１】
下部ＤＢＲ１４上に形成された活性層領域１６は、発光部５０から出射される光を生成する部位であり、下部ＤＢＲ１４上にこの順で形成された下部スペーサ１１４、量子井戸活性層１１６、上部スペーサ１１８（図５参照）を含んで構成されている。
【００３２】
本実施の形態に係る量子井戸活性層１１６は、例えば、４層のＧａＡｓ層からなる障壁層と、その間に設けられた３層のＩｎＧａＡｓからなる量子井戸層と、で構成されてもよい。なお、下部スペーサ１１４、上部スペーサ１１８は、各々量子井戸活性層１１６と下部ＤＢＲ１４との間、量子井戸活性層１１６と上部ＤＢＲ１８との間に配置されることにより、共振器の長さを調整する機能とともに、キャリアを閉じ込めるためのクラッド層としての機能も有している。
【００３３】
活性層領域１６上に設けられたｐ型の酸化狭窄層２６は電流狭窄層であり、非酸化領域２６ａ及び酸化領域２６ｂを含んで構成されている。ｐ側電極パッド２８からｎ側電極配線３０に向かって流れる電流は、非酸化領域２６ａによって絞られる。
【００３４】
酸化狭窄層２６上に形成された上部ＤＢＲ１８は、膜厚がそれぞれ０．２５λ／ｎとされかつ屈折率の互いに異なる２つの半導体層を交互に繰り返し積層して構成される多層膜反射鏡である。
【００３５】
発光部５０−１、５０−２、５０−４の上部ＤＢＲ１８上には、光の出射面を保護する出射面保護層２４が設けられている。出射面保護層２４は、一例としてシリコン窒化膜を着膜して形成される。一方、発光部５０−３の上部ＤＢＲ１８上はｐ側電極配線２２で覆われており、発光部５０−１、５０−２、５０−４の出射面保護層２４に相当する部分は、金属膜による遮蔽部３２となっている。つまり、発光部５０−３の光の出射口は遮光されている。
【００３６】
図１（ａ）、（ｂ）に示すように、発光部５０のメサを含む半導体層の周囲は無機絶縁膜としての層間絶縁膜２０が着膜されている。該層間絶縁膜２０はｐ側電極配線２２、ｐ側電極パッド２８の下部に配置されている。本実施の形態に係る層間絶縁膜２０は、一例として、シリコン窒化膜（ＳｉＮ膜）で形成されている。なお、層間絶縁膜２０の材料はシリコン窒化膜に限らず、例えば、シリコン酸化膜（ＳｉＯ２膜）、あるいはシリコン酸窒化膜（ＳｉＯＮ膜）等であてもよい。
【００３７】
図１（ａ）に示すように、発光部５０−１（発光部５０−２、５０−４も同様）では、ｐ側電極配線２２は層間絶縁膜２０の開口部を介して上部ＤＢＲ１８に接続されている。
上部ＤＢＲ１８の最上層には、ｐ側電極配線２２との接続のためのコンタクト層１２４（図５参照）が設けられており、コンタクト層１２４を介してｐ側電極配線２２の一端側が上部ＤＢＲ１８に接続され、上部ＤＢＲ１８との間でオーミック性接触を形成している。
【００３８】
ところで、上記の発光素子アレイ１０の発光部５０（発光部５０−１、５０−２、５０−４）を構成するＶＣＳＥＬは、基板に垂直な方向にレーザ出力を取り出せ、さらに２次元集積によるアレイ化が容易であることなどから、例えば光通信用光源として好適に利用されている。
【００３９】
ＶＣＳＥＬは、半導体基板（基板１２）上に設けられた一対の分布ブラッグ反射器（下部ＤＢＲ１４及び上部ＤＢＲ１８）、一対の分布ブラッグ反射器の間に設けられた活性層領域（活性層領域１６）を備えて構成されている。そして、分布ブラッグ反射器の両側に設けられた電極（ｐ側電極配線２２及びｎ側電極配線３０）により活性層領域へ電流を注入し、基板面に対して垂直にレーザ発振を生じさせ、素子の上部（出射面保護層２４の面側）から発振した光を出射させる構成となっている。
【００４０】
また、低閾値電流化、横モードの制御性等の観点から組成にＡｌを含む半導体層を酸化して形成される酸化狭窄層（酸化狭窄層２６）を備えており、このＡｌを含む半導体層を酸化するために、素子はメサ形状にエッチング加工され、酸化処理が施される。その後、エッチング加工により露出したメサ形状の側面やエッチングされた半導体表面は、シリコン窒化膜やシリコン酸化膜などの絶縁材料によって覆われるのが一般的である。
【００４１】
ここで、本実施の形態に係る発光素子アレイ１０に限らず、半導体素子一般においてはＥＳＤ（Ｅｌｅｃｔｒｏ−Ｓｔａｔｉｃ  Ｄｉｓｃｈａｒｇｅ：静電気放電）によって素子が損傷する場合がある。すなわち、外部から印加されるサージ等による放電電流が半導体素子内に流れ、局部的な発熱、電界集中により半導体素子が損傷しうる。ＥＳＤによるサージは、一般的に、半導体素子の入出力端子（入出力パッド）、あるいは電源端子（電源パッド）を経由して半導体素子の内部回路に至り、該内部回路を損傷させる。
【００４２】
従って、製造された半導体素子がどの程度ＥＳＤによるサージに対する耐性を有するか、予め把握しておくことが重要である。そのための試験として、ＥＳＤ耐圧試験が知られている。ＥＳＤ耐圧試験では、端子（パッド）を介してＥＳＤによるサージを模した高電圧パルスを半導体素子に印加し、半導体素子の損傷の状態等を把握する試験である。なお、本実施の形態における「サージ」とは、サージ電流およびサージ電圧の少なくとも一方を意味するものである。また、「損傷」とは、発光素子が完全に発光しなくなる状態や、光量の低下等の発光素子の性能がサージによって劣化した状態を含むものである。
【００４３】
本発明者らが発光素子アレイについてＥＳＤ耐圧試験を行い、発光素子アレイに含まれる個々の発光部の状態を調査した結果から、ＥＳＤによって損傷する程度は、端子から電流の経路に沿った複数の発光部の各々までの配線上の経路長に依存することが明らかとなった。
【００４４】
図２を参照して、端子から発光部５０までの経路長について説明する。図２は、図１に示す発光素子アレイ１０における発光部５０−１、５０−２、５０−３、５０−４を含む発光領域４０、ｐ側電極パッド２８、およびｐ側電極配線２２を抜き出して示した図である。本実施の形態において発光部５０−１、５０−２、５０−３、５０−４は電気的に並列に接続されている。図２では、ｐ側電極パッド２８から発光領域４０に向けて電流Ｉが流れており、発光部５０−１、５０−２、５０−３、５０−４の各々に電流Ｉの一部が供給されている。この場合において、ｐ側電極パッド２８からｐ側電極配線２２を経由し、発光部５０−３に至る電流の経路を経路長Ｌ１と定義する。この定義から、発光部５０−２についての経路長Ｌ２が、発光部５０−４についての経路長Ｌ２が、発光部５０−１についての経路長Ｌ３が、各々定義される。ただし、図２に示す例では、発光部５０−２と５０−４とがｐ側電極パッド２８から等距離とされている。図２に示す例では、経路長Ｌ１、Ｌ２、Ｌ３の大小関係が、Ｌ１＜Ｌ２＜Ｌ３となっている。すなわち、発光部５０−３の経路長Ｌ１が最短の経路長、発光部５０−１の経路長Ｌ３が最長の経路長となっている。本実施の形態に係る発光素子アレイでは、図２に示すように、最短の経路長に配置された発光部５０−３が遮蔽されている。
【００４５】
本発明者らが行った発光素子アレイのＥＳＤ耐圧調査によると、複数の発光部５０が互いに５０μｍ程度の近接した間隔で配置されている場合であっても、全ての発光部５０に同等にストレスがかるのではなく、経路長が短い発光部５０、換言すれば、駆動電流の経路の上流側に配置された発光部５０がより損傷し易いことが明らかとなった。一方、後述するように、発光部５０がＥＳＤ等によって損傷すると、光出力の波長スペクトルが変動することも明らかとなった。つまり、発光素子アレイにおいて電源電流の経路上の位置に応じた対策を施さないと、ＥＳＤ等によって光出力の波長スペクトルが変動し、当該発光素子アレイを用いた伝送装置の伝送品質を劣化させる虞れがある。
【００４６】
より詳細には、発光素子アレイにおいては、ＥＳＤ等のサージ電圧が印加されると、各々の発光部に加わるストレスの強弱によってそれぞれの発光部の劣化の程度が異なった状態となる。そして、劣化が大きい発光部ほど、劣化前と比較して出射される波長の変化量が大きくなる。つまり、ＥＳＤ等のサージ電圧が印加されると、各々の発光部における波長スペクトルが初期の状態から変動し、その結果、複数の発光部間での波長スペクトルの均一性が悪化し、劣化前と比較して光伝送の信号品質に悪影響を与える可能性がある。特に後述する光伝送装置等においては、例えば通信用の光伝送路としてマルチモードファイバを用いる場合、マルチモードファイバの標準的なコア径は１００μｍ以下（５０μｍまたは６２．５μｍ）と小さいため、複数の並列接続された発光部５０をコアに入射させようとすると、発光部５０の数は、例えば５個以下（２〜５個程度）に制限されることが多い。従って、このような光伝送装置においては、１つの発光部５０における波長スペクトルの変動が、発光素子アレイ全体としての波長スペクトルの変動に与える影響が大きい。
【００４７】
そこで、本発明では、最短の経路長の位置に配置される発光部５０（以下、「最短発光部５０Ｓ」という場合がある）の少なくとも１つの出射口を遮蔽し、最長の経路長の位置に配置される発光部５０（以下、「最長発光部５０Ｌ」という場合がある）の少なくとも１つの出射口を遮蔽しないこととした。すなわち、ＥＳＤ等により最も損傷を受けやすい最短発光部５０Ｓからの光が出力されないように構成しているので、ＥＳＤ等が印加されることで最短発光部５０Ｓが損傷した場合でも、発光素子アレイから出力される全体の光出力の波長スペクトルは、最短発光部５０Ｓが遮蔽されていない場合と比較して変動が抑制される。また、ＥＳＤ等により最も損傷を受けにくい最長発光部５０Ｌは遮蔽しないようにしているので、最長発光部５０Ｌが遮蔽され、かつ最短発光部５０Ｓが遮蔽されていない構成と比較し、ＥＳＤ等が印加された場合における発光素子アレイから出力される全体の光出力の波長スペクトルの変動が抑制される。そして、特に、光伝送路としてマルチモードファイバを用いる場合においては、発光素子アレイ全体としての波長スペクトルの変動が効果的に抑制される。なお、最短発光部５０Ｓ、最長発光部５０Ｌ以外の発光部については、例えば光伝送装置等の発光素子アレイが適用される機器において要求される光出力パワー等に基づいて、遮蔽するか否かを決めればよい。
【００４８】
次に、図３および図４を参照して、比較例に係る発光素子アレイに対して行ったＥＳＤの損傷の調査結果について説明する。本調査結果で用いた比較例に係る発光素子アレイは、図３（ｅ）に示す比較例に係る発光領域９０を備えている。すなわち、発光領域９０は同じ構造の発光部５０−１、５０−２、５０−３、および５０−４を有するとともに、発光領域９０からｐ側電極配線２２が紙面下方に延伸し、ｐ側電極パッド２８（図示省略）に接続されている。そして、発光部５０−１の経路長と発光部５０−２の経路長とは等しく、発光部５０−３の経路長と発光部５０−４の経路長とは等しい。そして、発光部５０−１、５０−２の経路長は発光部５０−３、５０−４の経路長よりも短い。換言すれば、発光領域９０には、最短発光部５０Ｓが２つ（５０−１、５０−２）存在する。なお、各発光部の中心間の距離は約５０μｍ、ｐ側電極パッド２８（図示省略）の中心位置から複数の発光部５０-１〜５０-４の重心位置（発光領域９０の中心位置）までの距離は約１６０μｍとした。
【００４９】
図３（ａ）〜（ｄ）は、比較例に係る発光素子アレイに、ｐ側電極パッド２８を介してＥＳＤ試験の電圧を印加した後の発光領域９０の発光状態を示している。図３（ａ）〜（ｄ）における発光部５０の配置は図３（ｅ）と同じである。図３（ａ）は印加電圧を０Ｖ（すなわち初期状態）、図３（ｂ）は１５０Ｖ、図３（ｃ）は２００Ｖ、図３（ｄ）は２５０Ｖとした場合の発光状態を各々示している。
【００５０】
図３（ｂ）に示すように、印加電圧が１５０Ｖでは発光部５０の発光状態にほとんど変化がないが、図３（ｃ）、（ｄ）に示すように、印加電圧が２００Ｖ、２５０Ｖでは発光部５０−１、５０−２の光量が減少している。このことから、経路長が短い発光部５０ほど損傷し易いこと、また、経路長が最短の発光部５０が複数ある場合、これらは同時に損傷し易いことがわかる。
【００５１】
図４は、さらに、電圧を印加した後の４つの比較例に係る発光素子アレイについて出力特性を調査した結果を示しており、図４（ａ）は光出力Ｐの調査結果を、図４（ｂ）は発光部５０−４の出力光のスペクトルを、図４（ｃ）は発光部５０−３の出力光のスペクトルを、図４（ｄ）は発光部５０−１の出力光のスペクトルを、図４（ｅ）は発光部５０−２の出力光のスペクトルの調査結果を各々示している。
【００５２】
図４（ａ）から、印加電圧が１５０Ｖとした場合は初期状態からほとんど変化していないが（図４（ａ）では印加電圧が０Ｖと１５０Ｖの曲線が重なっている）、２００Ｖ、２５０Ｖと、印加電圧を大きくするに従って、電流Ｉに対する光出力Ｐの特性が劣化していくことがわかる。
【００５３】
図４（ｂ）、（ｃ）から、発光部５０−４、５０−３では、印加電圧を大きくしてもスペクトルがほとんど変化していないことがわかる。一方、図４（ｄ）、（ｅ）から、発光部５０−１、５０−２では、印加電圧の増大とともに短波長化し、その後消失することがわかる。
【００５４】
つまり、図４（ｂ）〜（ｅ）の調査結果から、発光領域９０の発光部５０の一部に故障が発生すると、元々複数の発光部５０ごとに揃っていたスペクトル特性の均一性が失われることがわかる。このような現象が発生すると、例えば後述の光伝送装置では伝送品質の劣化が発生する懸念がある。この点からも、サージが印加された場合でも同時に損傷する発光部の数を抑制するとともに、発光領域における位置に応じた発光部に対する対策を施すことが重要である。
【００５５】
次に、図５を参照して、本実施の形態に係る発光素子アレイ１０の製造方法について説明する。発光素子アレイ１０は、図１（ｂ）に示すように４つの発光部５０を備えているが、遮蔽部３２の形成以外は製造工程としてはすべて同じであるので、以下の説明ではそのうちの１つの発光部５０について図示し説明する。なお、図５において図１と符号が異なる同じ名称の構成は、同じ機能を有している。
【００５６】
まず、図５（ａ）に示すように、有機金属気相成長（ＭＯＣＶＤ）法により、ｎ型ＧａＡｓによる基板１１０上に、ＡｌＡｓとＧａＡｓとをそれぞれの膜厚が媒質内波長λ’（＝λ／ｎ）の１／４となるように交互に３０周期積層したキャリア濃度１×１０18ｃｍ-3となるｎ型の下部ＤＢＲ１１２、アンドープＡｌ0.22Ｇａ0.78Ａｓによる下部スぺーサ１１４とアンドープの量子井戸活性層１１６（膜厚８０ｎｍＩｎＧａＡｓ量子井戸層３層と膜厚１５０ｎｍＧａＡｓ障壁層４層とで構成されている）とアンドープＡｌ0.22Ｇａ0.78Ａｓによる上部スぺーサ１１８とで構成された膜厚が媒質内波長λ’となる活性層領域１３０、その上に、キャリア濃度１×１０18ｃｍ-3、膜厚が媒質内波長λ’の１／４となるｐ型のＡｌＡｓ層１２０、その上にＡｌ0.9Ｇａ0.1ＡｓとＧａＡｓとをそれぞれの膜厚が媒質内波長λ’の１／４となるように交互に２２周期積層したキャリア濃度１×１０18ｃｍ-3、総膜厚が約２μｍとなるｐ型の上部ＤＢＲ１２２、その上にキャリア濃度１×１０19ｃｍ-3となる膜厚が媒質内波長λ’のｐ型のＧａＡｓによるコンタクト層１２４を順次積層する。
【００５７】
原料ガスとしては、トリメチルガリウム、トリメチルアルミニウム、トリメチルインジウム、アルシン、ドーパント材料としてはｐ型用にシクロペンタジニウムマグネシウム、ｎ型用にシランを用い、成長時の基板温度は７５０℃とし、真空を破ることなく、原料ガスを順次変化し、連続して成膜をおこなった。
【００５８】
次に、図５（ｂ）にその形状を示すように、上記積層膜を下部ＤＢＲ１１２の途中までエッチングしてメサ１２６を形成し、ＡｌＡｓ層１２０側面を露出させる。メサ形状を加工するには、フォトリソグラフィにより結晶成長層上にレジストマスクＲを形成し、四塩化炭素をエッチングガスとしてもちいた反応性イオンエッチングを用いた。
【００５９】
その後、レジストマスクＲを除去し、図５（ｃ）に示すように、約４００℃の炉中で水蒸気によりＡｌＡｓ層１２０だけを側方から酸化し高抵抗化させ、酸化領域１３２と非酸化領域１２０ａとした。非酸化領域１２０ａの径は、一例として約３μｍである。この非酸化領域１２０ａが、電流注入領域となる。
【００６０】
その後、図５（ｄ）及び（ｅ）に示すように、ＳｉＮによる層間絶縁膜１３４をメサ１２６上面を除いて蒸着し、レジストマスクＲを利用して、出射口１４０を除いてＴｉ／Ａｕからなるｐ側電極配線１３６を形成する。この際、遮蔽された発光部５０とされるメサ１２６についてはレジストマスクＲを形成せず、Ｔｉ／Ａｕからなる遮蔽部３２を形成する。また、基板１１０の裏面にはｎ側電極配線１３８としてＡｕ／Ｇｅを蒸着する。このようにして、図５（ｆ）に示す発光素子アレイ１０が完成する。なお、本実施の形態では酸化により電流狭窄構造を形成する形態を例示して説明したが、これに限られず、イオン注入により電流狭窄構造を形成する形態としてもよい。
【００６１】
＜発光部の配置形態＞
次に、図６を参照して、本実施の形態に係る発光素子アレイの発光領域４０における発光部５０の配置の形態について説明する。本実施の形態に係る発光素子アレイでは、図１に示す発光部５０の配置形態以外にさまざまな配置形態が考えられる。図６では、遮蔽された発光部を遮蔽発光部５０Ｂで、遮蔽されていない発光部を発光部５０で示している。
【００６２】
配置形態１：図６（ｂ）、（ｄ）、（ｅ）に示すように、発光部５０を複数配置させる。
本配置形態によれば、発光部５０が１つのみの場合と比較して、要求される光出力Ｐが一定の場合１つの発光部から出射する光量が低減されるので、発光部５０の経時的な寿命が向上する。
【００６３】
配置形態２：図６（ｂ）、（ｃ）、（ｄ）、（ｆ）に示すように、最長の経路長の位置以外の位置に、遮蔽発光部５０Ｂを配置させる。
本配置形態によれば、最もＥＳＤの影響を受けない発光部５０のみから出射光を出射させることで、波長スペクトルの変動がより抑制される。
【００６４】
配置形態３：図６（ｃ）、（ｄ）に示すように、最短の経路長の位置に複数の遮蔽発光部５０Ｂを配置する。
本配置形態によれば、最もＥＳＤの影響を受ける発光部を全て遮蔽することで、全て遮蔽しない場合と比較し、波長スペクトルの変動がより抑制される。
【００６５】
配置形態４：図６（ｂ）、（ｄ）に示すように、最長の経路長の位置に複数の発光部５０を配置させる。
本配置形態によれば、最もＥＳＤの影響を受けない複数の発光部５０から出射させることで、波長スペクトルの変動を抑制しつつ、１つの発光部５０から出射する光量を低減できるので、経時的な寿命が向上する。
【００６６】
配置形態５：配線上において遮蔽発光部５０Ｂを発光部５０よりもｐ側電極パッド（端子）に近い位置にずらして配置する。
本配置形態によれば、遮蔽発光部５０Ｂの発光部５０に対する熱の影響（熱干渉）が低減される。
【００６７】
［第２の実施の形態］
図７および図８を参照して、本実施の形態に係る光伝送装置２００について説明する。光伝送装置２００は光ファイバを介して相互に光通信を行う通信装置の光送信部を構成する装置であり、上記実施の形態に係る発光素子アレイ１０を搭載している。
【００６８】
図７（ａ）は光伝送装置２００の平面図を、図７（ｂ）は図７（ａ）に示すＢ−Ｂ’線で切断した断面図を各々示している。図７（ａ）、（ｂ）に示すように、光伝送装置２００は、発光素子アレイ１０、モニタＰＤ（Ｐｈｏｔｏ  Ｄｉｏｄｅ）６２、サブマウント２１４、およびこれらの構成を搭載するパッケージを含んで構成されている。光伝送装置２００のパッケージは、ステム２０２、キャップ２０４、カソード端子２１６、アノード端子２１８、２１９（図７（ｂ）ではアノード端子２１８に隠れて見えていない）、カソード端子２２０を含んで構成されている。
【００６９】
サブマウント２１４は、発光素子アレイ１０、モニタＰＤ６２等を搭載する基板であり、例えば半導体基板で構成されている。サブマウント２１４には、発光素子アレイ１０、モニタＰＤ６２の他に、発光素子アレイ１０の駆動部等を構成する半導体素子や、必要となる抵抗、コンデンサ等の受動部品が搭載される場合もある。また、サブマウント２１４の発光素子アレイ１０等の搭載面側には金属膜等でｎ側配線２１２が形成されており、発光素子アレイ１０のｎ側電極配線３０が接続される。
【００７０】
ステム２０２はサブマウント２１４を搭載する金属製のベースであり、カソード端子２１６、アノード端子２１８、２１９、カソード端子２２０が保持されている。カソード端子２１６、アノード端子２１８、２１９は必要な絶縁部を介してステムに保持されているが、カソード端子２２０はステム２０２に直接ロウ付けされている（同電位になっている）。
【００７１】
図７（ａ）に示すように、発光素子アレイ１０のｐ側電極パッド２８は、ボンディングワイヤによってアノード電極２０８に接続され、アノード端子２１８を介して外部（駆動電源等）と接続される。一方、発光素子アレイ１０のｎ側電極配線３０は、ｎ側配線２１２およびボンディングワイヤを介してカソード電極２１０に接続され、カソード端子２１６を介して外部（駆動電源等）と接続される。
【００７２】
モニタＰＤ６２は、発光素子アレイ１０を駆動制御する場合において、発光素子アレイ１０の発光部５０からの光出力Ｐの光量をモニタするためのＰＤである。すなわち、例えば発光素子アレイ１０をＡＰＣ（Ａｕｔｏｍａｔｉｃ  Ｐｏｗｅｒ  Ｃｏｎｔｒｏｌ）方式で駆動制御する場合において、光出力Ｐに応じたモニタ電流Ｉｍを発生し、ＡＰＣ制御回路に供給する。むろん、発光素子アレイ１０の駆動制御方式はＡＰＣ方式に限られず、定電流駆動方式、定電圧駆動方式等であってもよい。
【００７３】
モニタＰＤ６２のアノードはボンディングワイヤを介してアノード電極２０６に接続され、アノード端子２１９を介して外部（駆動電源等）と接続される。一方、モニタＰＤ６２のカソードはボンディングワイヤによりステム２０２に接続され、カソード端子２２０を介して外部（駆動電源等）に接続される。
【００７４】
キャップ２０４は、サブマウント２１４に搭載された半導体素子等を気密封止するものであり、本実施の形態では金属で形成されている。キャップ２０４には発光素子アレイ１０からの光出力Ｐを通過させる開口部が形成されており、該開口部には部分反射ミラー２２２が貼り付けられている。光出力Ｐの大部分は部分反射ミラー２２２を通過して外部（本実施の形態では後述する光ファイバ）に出力されるが、一部（一例として１０％程度）は部分反射ミラー２２２で反射され、モニタ光ＰｍとしてモニタＰＤ６２に入射される。このモニタ光Ｐｍによって、上述したモニタ電流Ｉｍが発生する。
【００７５】
次に、図８を参照して、発光素子アレイ１０と光ファイバ３００との結合について説明する。図８（ａ）は、発光素子アレイ１０と光ファイバ３００との結合状態を示す断面図、図８（ｂ）は平面図である。なお、本実施の形態に係る光ファイバ３００としては、シングルモードファイバ、マルチモードファイバ、プラスチックファイバ等特に制限なく用いることが可能であるが、本実施の形態ではコア径は１００μｍ以下（５０μｍまたは６２．５μｍ）のマルチモードファイバを用いている。
【００７６】
図８（ａ）に示すように、光ファイバ３００はコア３０２とクラッド３０４を備えている。図８（ａ）、（ｂ）に示すように、発光素子アレイ１０の発光部５０は、光出力Ｐが光ファイバ３００のコア３０２に入射するように配置される。本実施の形態では発光素子アレイ１０と光ファイバ３００との結合にレンズを用いていない。しかしながら、これに限られず、レンズを用いて発光素子アレイ１０と光ファイバ３００とを結合させる形態としてもよい。
【００７７】
ここで、光伝送装置２００に搭載される発光素子アレイ１０における発光部５０の配置形態として、以下の配置形態が考えられる。本配置形態を、上記実施の形態における配置形態の一形態として挙げる。
【００７８】
配置形態６：発光部５０の方を遮蔽発光部５０Ｂよりも、コア３０２の中心に近い位置に配置する。
本配置形態によれば、遮蔽発光部５０Ｂの発光部５０に対する熱の影響（熱干渉）が低減される。
【００７９】
ここで、上記実施の形態ではキャン型のパッケージに搭載した形態の光伝送装置２００を例示して説明したが、これに限られず、他のパッケージ、例えばフラットパッケージに搭載した形態の光伝送装置としてもよい。
【００８０】
［第３の実施の形態］
以下、本実施の形態に係る光伝送装置について説明する。上記実施の形態に係る発光素子アレイ１０、光伝送装置２００では、発光素子アレイ１０からの光出力Ｐにおけるスペクトルの均一性の低下を抑制するために、最短発光部５０Ｓの少なくとも１つの出射口を遮蔽し、最長発光部５０Ｌの少なくとも１つの出射口を遮蔽しないようにして、最短発光部５０Ｓから光が出射されないようにしていた。本実施の形態は、最短発光部５０Ｓを遮蔽する代わりに、最短発光部５０Ｓからの出射光が光ファイバに結合されないように配置を考慮した形態である。なお、本実施の形態に係る光伝送装置２００ａは、最短発光部５０Ｓの配置以外については上記光伝送装置２００と同様なので、必要な場合には図７、８を参照することとし、図示を省略する。
【００８１】
本実施の形態では、最短発光部５０Ｓを以下のように配置する。すなわち、最長発光部５０Ｌを、最長発光部５０Ｌから出射された光が光ファイバ３００に入射されるように配置させるとともに、最短発光部５０Ｓを、最短発光部５０Ｓから出射される光の光軸が光ファイバ３００の光軸とずれるように配置する。最短発光部５０Ｓから出射される光の光軸が光ファイバ３００の光軸とずれるように配置するとは、例えば図８（ａ）において、発光部５０から出射された光出力Ｐがコア３０２に入射されないように、コアに垂直な面に平行な面内において発光部５０の位置をずらすことをいう。なお、最短発光部５０Ｓ、最長発光部５０Ｌ以外の発光部については、例えば光伝送装置２００ａにおいて要求される光出力パワー等によって、光軸をずらすか否かを決めればよい。
【００８２】
以上のように、本実施の形態に係る光伝送装置によっても、波長スペクトルの均一性の低下が抑制される。
【００８３】
なお、上記各実施の形態では、各発光部がモノリシックに形成された発光素子アレイを用いた形態を例示して説明したが、これに限られず、各発光部として個別（ディスクリート）の発光素子を用いた形態としてもよい。
【符号の説明】
【００８４】
１０      発光素子アレイ
１２、１１０  基板
１４、１１２  下部ＤＢＲ
１６、１３０  活性層領域
１８、１２２  上部ＤＢＲ
２０、１３４  層間絶縁膜
２２、１３６  ｐ側電極配線
２４      出射面保護層
２６      酸化狭窄層
２６ａ、１２０ａ  非酸化領域
２６ｂ、１３２  酸化領域
２８      ｐ側電極パッド
３０、１３８  ｎ側電極配線
３２      遮蔽部
４０      発光領域
５０、５０−１、５０−２、５０−３、５０−４  発光部
５０Ｂ    遮蔽発光部
５０Ｓ    最短発光部
５０Ｌ    最長発光部
６２      モニタＰＤ
１１４    下部スペーサ
１１６    量子井戸活性層
１１８    上部スペーサ
１２０    ＡｌＡｓ層
１２４    コンタクト層
１２６    メサ
１４０    出射口
２００    光伝送装置
２０２    ステム
２０４    キャップ
２０６、２０８  アノード電極
２１０    カソード電極
２１２    ｎ側配線
２１４    サブマウント
２１６    カソード端子
２１８、２１９  アノード端子
２２０    カソード端子
２２２    部分反射ミラー
３００    光ファイバ
３０２    コア
３０４    クラッド
Ｉｍ      モニタ電流
Ｌ１、Ｌ２、Ｌ３  経路長
Ｐ  光出力、Ｐｍ  モニタ光
Ｒ        レジストマスク
【図１】
2018082062.tif 000003
【図２】
2018082062.tif 000004
【図３】
2018082062.tif 000005
【図４】
2018082062.tif 000006
【図５】
2018082062.tif 000007
【図６】
2018082062.tif 000008
【図７】
2018082062.tif 000009
【図８】
2018082062.tif 000010